(57)【要約】【課題】番組を見ながら容易にアンケートの回答を入力することができる表示回答システム、表示回答装置、および表示回答プログラムを提供する。【解決手段】表示回答装置において番組とアンケートとが受信され、番組はそのまま表示回答装置に表示される。アンケートは、所定の表示装置に向けて送信され、表示装置に表示される。表示回答装置では、表示装置に表示されたアンケートの回答が操作に応じて決定され、決定された回答が所定の回答回収装置に向けて送信される。【選択図】        図１
2007264931.tif 000002
【特許請求の範囲】
【請求項１】
配信局から配信された番組を受信する番組受信部と、
前記番組の配信中にそれと共に配信される、該番組に関するアンケート情報を受信するアンケート受信部と、
前記番組受信部で受信された番組を表示する番組表示部と、
前記アンケート受信部で受信されたアンケート情報を所定の表示装置に向けて送信し、該表示装置に該アンケート情報により構成されるアンケート画面を表示させるアンケート送信部と、
前記表示装置に表示されたアンケート画面で示されるアンケートの回答を操作に応じて決定する回答部と、
前記回答部で決定された回答を所定の回答回収装置に向けて送信する回答送信部とを備えた表示回答装置；および
前記表示回答装置から送られてきたアンケート情報を受信するアンケート受信部と、
前記アンケート受信部で受信されたアンケート情報で示されるアンケート画面を表示するアンケート表示部とを備えた表示装置；
を備えたことを特徴とする表示回答システム。
【請求項２】
前記表示回答装置がチューナー内蔵型のパーソナルコンピュータであることを特徴とする請求項１記載の表示回答システム。
【請求項３】
前記表示回答装置の前記アンケート送信部は、前記アンケート情報を他装置を介在しない通信経路で前記表示装置に向けて送信し、
前記表示回答装置の前記回答部は、通信ネットワークを介して前記所定の回答回収装置に向けて送信し、
前記表示装置のアンケート受信部は、前記表示回答装置から前記通信経路で前記アンケート情報を受信することを特徴とする請求項１記載の表示回答システム。
【請求項４】
配信局から配信された番組を受信する番組受信部と、
前記番組の配信中にそれと共に配信される、該番組に関するアンケート情報を受信するアンケート受信部と、
前記番組受信部で受信された番組を表示する番組表示部と、
前記アンケート受信部で受信されたアンケート情報を所定の表示装置に向けて送信し、該表示装置に該アンケート情報により構成されるアンケート画面を表示させるアンケート送信部と、
前記表示装置に表示されたアンケート画面で示されるアンケートの回答を操作に応じて決定する回答部と、
前記回答部で決定された回答を所定の回答回収装置に向けて送信する回答送信部とを備えたことを特徴とする表示回答装置。
【請求項５】
コンピュータ内で実行される表示回答プログラムにおいて、該コンピュータを、
配信局から配信された番組を受信する番組受信部と、
前記番組の配信中にそれと共に配信される、該番組に関するアンケート情報を受信するアンケート受信部と、
前記番組受信部で受信された番組を表示する番組表示部と、
前記アンケート受信部で受信されたアンケート情報を所定の表示装置に向けて送信し、該表示装置に該アンケート情報により構成されるアンケート画面を表示させるアンケート送信部と、
前記表示装置に表示されたアンケート画面で示されるアンケートの回答を操作に応じて決定する回答部と、
前記回答部で決定された回答を所定の回答回収装置に向けて送信する回答送信部として機能させるための表示回答プログラム。
【発明の詳細な説明】
【技術分野】
【０００１】
本発明は、配信された番組とアンケートとを表示し、アンケートに回答する表示回答システム、表示回答装置、および表示回答プログラムに関する。
【背景技術】
【０００２】
従来、放送の分野においては、番組の音声、映像の色、および映像の明るさなどといった情報を電気信号に置き換え、それら電気信号をアナログ変調して配信するアナログ放送が一般的である。近年では、アナログ放送に加えて、番組の映像および音声を（０，１）のビット列に符号化して圧縮し、圧縮されたデジタル信号をデジタル変調して配信するデジタル放送が広く知られてきている。デジタル放送としては、従来のアナログ放送と同様の地上波を利用した地上波デジタル放送、各種衛星を利用した衛星デジタル放送、およびケーブルを用いた有線デジタル放送などが利用されており、それらデジタル放送には、周波数の利用効率が高いため多チャンネル化に対応することができ、雑音やゆがみに強いため高画質な画像を放送することができるなどという利点がある。
【０００３】
また、デジタル放送の利点として、番組の映像や音声に加えて、アンケートなどといった付加情報もいっしょに配信することができ、番組を閲覧する利用者側が配信された番組を受信するだけではなく、番組に関するアンケートの回答を返信するといった双方向通信が可能であるという点も挙げられる。
【０００４】
双方向通信を実現する方法としては、番組とともに配信されてくる付加情報からアンケート用サイトのＵＲＬを切り出し、パーソナルコンピュータなどでＵＲＬに基づいてアンケート用サイトにアクセスしてアンケートに回答する方法（例えば、特許文献１参照）や、テレビを通信ネットワークに接続しておき、番組とともにアンケート自体を取得して、テレビ用のリモコンなどを使ってアンケートに回答し、通信ネットワーク経由で回答を返信する方法などが知られている。
【０００５】
また、近年、パーソナルコンピュータにテレビ用の電波を受信するアンテナやテレビチューナーが内蔵されてきており、パーソナルコンピュータを使ってテレビ番組を閲覧することが広く行われてきている。さらに、インターネット回線を介してパーソナルコンピュータ専用の番組を無料で配信することも行われてきており、パーソナルコンピュータをテレビ代わりに利用するユーザがますます増加すると予測されている。このように、インターネット回線に接続されているパーソナルコンピュータでは、テレビと通信装置とが一体化しているため、上述した双方向通信を容易に実現することができる。また、通常のテレビ用のリモコンを利用してアンケートに回答する場合、数字などといった簡単な回答しか入力することができないが、テレビ内蔵型のパーソナルコンピュータを利用することによって、マウスやキーボードを使って複雑な文章なども容易に入力することができ、利用者側の要望などを提供者側に確実に伝達することができる。
【特許文献１】特開２００２−１２５１６１号公報
【発明の開示】
【発明が解決しようとする課題】
【０００６】
しかし、テレビ内蔵型のパーソナルコンピュータを使ってアンケートに回答する場合、表示されている番組の上にアンケートが重ねて表示されてしまったり、番組が小さく表示されてしまったりするため、番組が見づらく、番組を見ながらアンケートに回答することができないという問題がある。
【０００７】
本発明は、上記事情に鑑み、番組を見ながら容易にアンケートの回答を入力することができる表示回答システムを提供することを目的とする。
【課題を解決するための手段】
【０００８】
上記目的を達成する本発明の表示回答システムは、配信局から配信された番組を受信する番組受信部と、
番組の配信中にそれと共に配信される、番組に関するアンケート情報を受信するアンケート受信部と、
番組受信部で受信された番組を表示する番組表示部と、
アンケート受信部で受信されたアンケート情報を所定の表示装置に向けて送信し、該表示装置に該アンケート情報により構成されるアンケート画面を表示させるアンケート送信部と、
表示装置に表示されたアンケート画面で示されるアンケートの回答を操作に応じて決定する回答部と、
回答部で決定された回答を所定の回答回収装置に向けて送信する回答送信部とを備えた表示回答装置；および
表示回答装置から送られてきたアンケート情報を受信するアンケート受信部と、
アンケート受信部で受信されたアンケート情報で示されるアンケート画面を表示するアンケート表示部とを備えた表示装置；
を備えたことを特徴とする。
【０００９】
本発明の表示回答システムでは、表示回答装置で受信された番組はそのまま表示回答装置で表示され、アンケートは表示装置に送られて、表示装置で表示される。また、番組を閲覧する利用者によって、表示回答装置の操作子を使ってアンケートの回答が決定されると、その回答が回答回収装置に返信される。本発明の表示回答システムによると、番組とアンケートとが別の画面に表示されるため、番組を見ながらアンケートの回答を入力することができる。
【００１０】
また、本発明の表示回答システムにおいて、上記表示回答装置がチューナー内蔵型のパーソナルコンピュータであることが好ましい。
【００１１】
通常、パーソナルコンピュータはインターネット回線などに接続されていることが多いため、本発明の表示回答装置として利用されることによって、新たに通信ネットワークと接続するための手間やコストを増加させることなく、アンケートの回答を返信することができる。また、番組を閲覧する利用者側では、普段使い慣れているパーソナルコンピュータのマウスやキーボードを使って、文章などといった複雑な回答も容易に入力することができ、番組を提供する提供者側では、利用者から番組の感想などといった詳しい情報を確実に取得することができる。
【００１２】
また、本発明の表示回答システムにおいて、上記表示回答装置のアンケート送信部は、アンケート情報を他装置を介在しない通信経路で表示装置に向けて送信し、上記表示回答装置の回答部は、通信ネットワークを介して所定の回答回収装置に向けて送信し、上記表示装置のアンケート受信部は、表示回答装置から上記通信経路でアンケート情報を受信することが望ましい。
【００１３】
このように、上記表示回答装置と上記表示装置を他装置を介在しない通信経路で接続することにより、上記表示装置を通信ネットワークに接続する必要がないため、プロバイダ料金や接続料金などを抑えることができる。
【００１４】
また、上記目的を達成する本発明の表示回答装置は、配信局から配信された番組を受信する番組受信部と、
番組の配信中にそれと共に配信される、番組に関するアンケート情報を受信するアンケート受信部と、
番組受信部で受信された番組を表示する番組表示部と、
アンケート受信部で受信されたアンケート情報を所定の表示装置に向けて送信し、該表示装置に該アンケート情報により構成されるアンケート画面を表示させるアンケート送信部と、
表示装置に表示されたアンケート画面で示されるアンケートの回答を操作に応じて決定する回答部と、
回答部で決定された回答を所定の回答回収装置に向けて送信する回答送信部とを備えたことを特徴とする。
【００１５】
この本発明の表示回答装置は、上述の表示回答システムにおける表示回答装置と同機能であり、これによる作用効果も上述したものとなる。
【発明の効果】
【００１６】
本発明によると、番組を見ながら容易にアンケートの回答を入力することができる。
【発明を実施するための最良の形態】
【００１７】
以下図面を参照して本発明の実施の形態を説明する。
【００１８】
図１は、本発明の一実施形態が適用された番組配信システムの概略構成図である。
【００１９】
この番組配信システムは、番組を配信する提供者側から、番組と、番組に関するアンケートを示すアンケート情報とを配信し、番組を閲覧する利用者側では、番組とアンケート情報とを受信してアンケートの回答を提供者側に返信する双方向通信が可能なシステムである。番組配信システムには、番組を配信するテレビ基地局１２と、番組を受信するテレビ３０と、番組を受信して、その番組に関するアンケートの回答を返信するパーソナルコンピュータ２０と、アンケートの回答を回収するインターネット基地局１１とで構成されている。尚、実際には、番組配信システムには、多数の基地局や、多数のパーソナルコンピュータや、多数のテレビなどが接続されて構成されているが、図１では、本発明の説明に必要な要素のみを示している。
【００２０】
テレビ基地局１２は、番組の映像を表わすデジタルの映像情報、番組の音声を表わすデジタルの音声情報、および番組に関するアンケートが含まれた付加情報などを番組情報としてまとめ、さらに圧縮処理を施し、デジタル変調して電波として発信することにより、番組やアンケート情報を配信する。テレビ基地局１２は、本発明にいう配信局の一例に相当する。
【００２１】
インターネット基地局１１は、インターネット回線４０を使って、番組に関するアンケートの回答を回収するものである。インターネット基地局１１は、本発明にいう回答回収装置の一例に相当する。
【００２２】
パーソナルコンピュータ２０は、テレビ基地局１２から配信された番組やアンケート情報を受信するためのアンテナやテレビチューナー（図２参照）を備えたチューナー内蔵型パーソナルコンピュータである。パーソナルコンピュータ２０は、テレビ３０とＵＳＢケーブル６０によって接続されており、番組に付加されたアンケートをＵＳＢケーブル６０を使ってテレビ３０に送る。また、このパーソナルコンピュータ２０は、インターネット回線４０に接続されており、アンケートの回答をインターネット回線４０を介してインターネット基地局１１に返信する。パーソナルコンピュータ２０は、本発明にいう表示回答装置の一例に相当し、ＵＳＢケーブル６０は、本発明にいう「他装置をを介在しない通信経路」の一例にあたる。
【００２３】
このパーソナルコンピュータ２０には、外観構成上、本体装置２１、その本体装置２１からの指示に応じて表示画面２２ａ上に画像を表示する画像表示装置２２、音声を出力するスピーカ（図２参照）、本体装置２１にキー操作に応じた各種の情報を入力するキーボード２３、および、表示画面２２ａ上の任意の位置を指定することにより、その位置に表示された、例えばアイコン等に応じた指示を入力するマウス２４などが備えられている。
【００２４】
図２は、パーソナルコンピュータ２０の内部構成図である。
【００２５】
本体装置２１の内部には、図２に示すように、本発明の表示回答プログラムを含む各種プログラムを実行するＣＰＵ２０１、ハードディスク装置２０３に格納されたプログラムが読み出されＣＰＵ２０１での実行のために展開される主メモリ２０２、各種プログラム等が保存されたハードディスク装置２０３、ＣＤ−ＲＯＭ２１０やＤＶＤが装填され、その装填されたＣＤ−ＲＯＭ２１０やＤＶＤをアクセスするＣＤ／ＤＶＤドライブ２０４、ＦＤ２２０が装填され、装填されたＦＤ２２０をアクセスするＦＤドライブ２０５、テレビ基地局１２から配信された番組やアンケートを受信するアンテナ２０７ａ、アンテナ２０７ａで受信された電波の中からユーザによって選局されたチャンネルの電波を選択し、選択した電波を上述したデジタルの番組情報に変換するテレビチューナー２０７、インターネット回線４０を介して、図１に示すインターネット基地局１１に向けてアンケートの回答を返信するネットワーク用インタフェース２０６、ＵＳＢケーブル６０を使って、テレビ３０に向けてアンケートを送信するテレビ用インタフェース２０８、および番組の音声信号をアナログ信号に変換してスピーカ２０９ａに送る音声制御部２０９などが内蔵されており、これらの各種要素と、さらに図１にも示す画像表示装置２２、キーボード２３、およびマウス２４は、バス２５を介して相互に接続されている。アンテナ２０７ａとテレビチューナー２０７とを合わせたものは、本発明にいう番組受信部と本発明にいう「表示回答装置のアンケート受信部」との双方を兼ねた一例にあたり、ネットワーク用インタフェース２０６は、本発明にいう回答送信部の一例に相当する。また、画像表示装置２２は、本発明にいう番組表示部の一例にあたり、テレビ用インタフェース２０８は、本発明にいうアンケート送信部の一例にあたり、キーボード２３およびマウス２４は、本発明にいう回答部の一例に相当する。
【００２６】
また、図１に示すテレビ基地局１２から配信された番組やアンケート情報は、テレビ３０でも受信される。テレビ３０には、外観構成上、番組やアンケートを表示する表示画面３０ａ、テレビの電源やチャンネルを操作するためのスイッチ３１、および音声を出力するスピーカ（図３参照）などが備えられており、赤外線を使ってスイッチ３１の操作を手元で行うためのリモコン３２も備えられている。テレビ３０は、本発明にいう表示装置の一例に相当する。
【００２７】
図３は、テレビ３０の内部構成図である。
【００２８】
テレビ３０の内部には、図３に示すように、アンテナ５０で受信した電波の中からユーザによって選局されたチャンネルの電波を選択し、選択した電波を上述したデジタルの番組情報に変換するチューナー３３、圧縮されている番組情報を展開し、展開した番組情報から映像情報、音声情報、および付加情報を抽出する信号処理部３６、アンケートやデジタルの映像情報をアナログ信号に変換して表示画面３０ａに送る表示制御部３４、音声信号をアナログ信号に変換してスピーカ３９ａに送る音声制御部３９、テレビ３０全体を制御する全体制御部３５、リモコン３２から発せられた赤外線を受信する赤外線受信部３２ａ、テレビ３０全体を制御するための各種情報が記憶されたメモリ３７、パーソナルコンピュータ２０からアンケートを受信するパーソナルコンピュータ用インタフェース３８、および図１にも示す表示画面３０ａ、スイッチ３１、リモコン３２も備えられている。パーソナルコンピュータ用インタフェース３８は、本発明にいう「表示装置のアンケート受信部」の一例にあたり、表示制御部３４と表示画面３０ａとを合わせたものは、本発明にいうアンケート表示部の一例に相当する。
【００２９】
図１に示す番組配信システムは、基本的には以上のように構成されている。
【００３０】
図４は、テレビ基地局１２から番組とアンケート情報を受信し、そのアンケート情報で示されるアンケートの回答をインターネット基地局１１へ送信する一連の処理の流れを示すフローチャートである。
【００３１】
以下、図４のフローチャートに従って、テレビ基地局１２からアンケート情報を受信して、インターネット基地局１１へアンケートの回答を返信するまでの一連の処理について説明する。
【００３２】
本実施形態においては、パーソナルコンピュータ２０およびテレビ３０の両方に、番組とアンケートとを受信して表示する機能が搭載されているが、テレビ３０はインターネット回線４０に接続されていないため、テレビ３０ではアンケートの回答を返信することができない。このため、利用者は、アンケートに回答したい番組については、テレビ３０ではなくパーソナルコンピュータ２０を使って番組を閲覧する。
【００３３】
利用者が、パーソナルコンピュータ２０のキーボード２３やマウス２４を使って、テレビのチャンネルを選択すると（図４のステップＳ１）、選択されたチャンネルがＣＰＵ２０１を介してテレビチューナー２０７に伝えられる。
【００３４】
アンテナ２０７ａで受信された電波はテレビチューナー２０７に伝達される。テレビチューナー２０７では、ＣＰＵ２０１から伝えられたチャンネルの電波が選択され、選択された電波が上述したデジタルの番組情報に変換される。変換された番組情報は、ＣＰＵ２０１に伝えられる。
【００３５】
ＣＰＵ２０１では、まず、圧縮された番組情報が展開される。この展開された番組情報は、ＴＳ（Ｔｒａｎｓｐｏｒｔ  Ｓｔｒｅａｍ）と呼ばれるデータ列で構成されたパケット集合体であり、映像情報、音声情報、付加情報、および映像や音声やアンケートを関連付けるための複数のテーブルなどで構成されている。本実施形態においては、ＴＳパケットに含まれる各情報には、番組を識別する番組番号と、その情報の種別（映像、音声、付加）を識別する種別番号とが付加されており、ＴＳパケットに含まれるＰＡＴ（Ｐｒｏｇｒａｍ  Ａｓｓｏｃｉａｔｉｏｎ  Ｔａｂｌｅ）に、番組と番組番号との対応関係（例えば、番組＿１：ＰＩＤ（番組番号）「１」，番組＿２：ＰＩＤ「２」，…）が定義されており、各番組ごとに用意されたＰＭＴ（Ｐｒｏｇｒａｍ  Ｍａｐ  Ｔａｂｌｅｓ）に、識別番号と情報の種別との対応関係（例えば、映像情報：ＳＩＤ（種別番号）「１」、音声情報：ＳＩＤ「２」、付加情報：ＳＩＤ「３」）が定義されている。すなわち、ＣＰＵ２０１では、ＴＳパケット中の、同じＰＩＤ（番組番号）が付加された情報が取得され、続いて、それら各情報に付加されたＳＩＤ（種別番号）が識別されることによって、同じ番組を構成する映像情報、音声情報、および付加情報が抽出される（図４のステップＳ２）。抽出された映像情報は画像表示装置２２に伝えられ、音声情報は音声制御装置２０９に伝えられる。
【００３６】
映像情報および音声情報が抽出されると、画像表示装置２２によって、映像情報が表わす番組の映像が表示画面２２ａ上に表示され（図４のステップＳ３）、音声制御装置２０９によって、音声情報が表わす番組の音声がスピーカ２０９ａから発せられる。
【００３７】
図５は、パーソナルコンピュータ２０の表示画面２２ａ上に表示される画像を示す図である。
【００３８】
図４のステップＳ３においては、図５のパート（Ａ）に示すように、パーソナルコンピュータ２０の表示画面２２ａ上には、番組の映像１００が表示されている。
【００３９】
利用者がパーソナルコンピュータ２０で番組を閲覧し、マウス２４などでアンケートの表示を指示すると（図４のステップＳ４：Ｙｅｓ）、指示内容がＣＰＵ２０１に伝えられる。ＣＰＵ２０１は、テレビ用インタフェース２０８を介して、パーソナルコンピュータ２０にテレビ３０が接続されているか否かを検出する（図４のステップＳ５）。
【００４０】
テレビ３０が接続されていなかった場合は（図４のステップＳ５：Ｎｏ）、ＣＰＵ２０１は、付加情報を画像表示装置２２に送り、表示画面２２ａ上にアンケートを表示させる（図４のステップＳ６）。
【００４１】
図４のステップＳ６においては、図５のパート（Ｂ）に示すように、パーソナルコンピュータ２０の表示画面２２ａに、番組の映像１００の上に重ねてアンケート画面１１０が表示されている。
【００４２】
利用者は、図５のパート（Ｂ）に示す番組の映像１００、およびアンケート画面１１０を確認し、マウス２４やキーボード２３を使って、アンケート画面１１０に従って回答を入力する（図４のステップＳ８）。入力された回答は、ＣＰＵ２０１に伝えられ、さらに、ネットワーク用インタフェース２０６に伝えられて、インターネット回線４０を介してインターネット基地局１１に向けて返信される（図４のステップＳ９）。
【００４３】
ここで、図５のパート（Ｂ）に示す表示画面２２ａでは、番組の映像１００上にアンケート画面１１０が重ねて表示されており、利用者は、番組の映像１００を見ながらアンケートに回答することができない。本実施形態の番組配信システムでは、アンケートがテレビ３０に表示され、アンケートの回答はパーソナルコンピュータ２０のマウス２４やキーボード２３を使って入力されることによって、ユーザインタフェースの向上が図られている。
【００４４】
図４のステップＳ５において、テレビ３０が接続されている場合は（図４のステップＳ５：Ｙｅｓ）、ＣＰＵ２０１は、付加情報をテレビ用インタフェース２０８に伝える。テレビ用インタフェース２０８は、付加情報をＵＳＢケーブル６０を介してテレビ３０に送信する。
【００４５】
図３に示すテレビ３０のパーソナルコンピュータ用インタフェース３８では、パーソナルコンピュータ２０から送られてきた付加情報が受信される。受信された付加情報は、全体制御部３５に伝えられ、さらに、表示制御部３４に伝えられる。その結果、付加情報に含まれるアンケートがテレビ３０の表示画面３０ａ上に表示される（図４のステップＳ７）。
【００４６】
図６は、テレビ３０の表示画面３０ａ上に表示されたアンケート画面を示す図である。
【００４７】
表示画面３０ａ上には、アンケート画面１１０と、ポインタ１１１が表示されている。利用者がマウス２４を移動させると、そのマウス２４の位置情報がＵＳＢ６０を使ってパーソナルコンピュータ２０からテレビ３０に送られて、アンケート画面１１０上のポインタ１１１の位置が位置情報に応じた位置に移動される。また、利用者がキーボード２３を使って文字を入力すると、その入力された文字情報がテレビ３０に送られて、入力された文字がアンケート画面１１０上に表示される。このような処理は、パーソナルコンピュータの既存技術であるマルチモニタ機能（それぞれの表示デバイスに別々の情報を表示する機能）を流用することによって容易に実現することができる。
【００４８】
利用者は、テレビ３０上に表示されたアンケート画面１１０に従ってアンケートに回答する（図４のステップＳ８）。入力された回答はマウス２４やキーボード２３からＣＰＵ２０１に伝えられ、ＣＰＵ２０１によってネットワーク用インタフェース２０６に伝えられて、ネットワーク用インタフェース２０６からインターネット回線４０を介してインターネット基地局１１に送られる（図４のステップＳ１０）。
【００４９】
このように、アンケートがテレビ３０に表示されることによって、利用者は、図５のパート（Ａ）に示すパーソナルコンピュータ２０に表示された番組の映像１００を見ながら、テレビ３０に表示されたアンケートに回答することができ、また、普段使い慣れているキーボード２３やマウス２４を利用することができるため、複雑な文章なども容易に入力することができる。
【００５０】
また、本実施形態によると、アンケートを表示するテレビ３０自体は、通信ネットワークに接続されていなくてもよい。したがって、利用者にとっては、通信料金やプロバイダ料金などを追加させずに、アンケートに容易に回答することができ、提供者側によっては、利用者のアンケートに回答する意欲を向上させることができるため、より適確な情報を確実に得ることができる。
【００５１】
ここで、上記では、テレビとパーソナルコンピュータとを備えた番組配信システムについて説明したが、本発明にいう表示回答装置や表示装置は、携帯電話などであってもよい。また、例えば、テレビ内蔵型のパーソナルコンピュータに複数の画像表示装置が備えられている場合には、パーソナルコンピュータの本体装置と１台の画像表示装置とを本発明の表示回答装置として適用し、残りの画像表示装置を本発明の表示装置として適用してもよい。
【００５２】
また、上記では、テレビとパーソナルコンピュータとをＵＳＢケーブルで接続する例について説明したが、本発明にいう「他装置を介在しない通信経路」は、例えば、赤外線やブルートゥース（Ｂｌｕｅｔｏｏｔｈ：登録商標）などによるワイヤレスの通信経路であってもよい。
【図面の簡単な説明】
【００５３】
【図１】本発明の一実施形態が適用された番組配信システムの概略構成図である。
【図２】パーソナルコンピュータの内部構成図である。
【図３】テレビの内部構成図である。
【図４】番組とアンケートを受信し、アンケートの回答を返信する一連の処理の流れを示すフローチャートである。
【図５】パーソナルコンピュータの表示画面上に表示される画像を示す図である。
【図６】テレビの表示画面上に表示されたアンケート画面を示す図である。
【符号の説明】
【００５４】
１１    インターネット基地局
１２    テレビ基地局
２０    パーソナルコンピュータ
２１    本体装置
２２    画像表示装置
２３    キーボード
２４    マウス
２０１    ＣＰＵ
２０２    主メモリ
２０３    ハードディスク装置
２０４    ＣＤ／ＤＶＤドライブ
２０５    ＦＤドライブ
２０６    ネットワーク用インタフェース
２０７    テレビチューナー
２０７ａ    アンテナ
２０８    テレビ用インタフェース
３０    テレビ
３１    スイッチ
３２    リモコン
３３    チューナー
３４    表示制御部
３５    全体制御部
３６    信号処理部
３７    メモリ
３８    パーソナルコンピュータ用インタフェース
３９    音声制御部
３９ａ    スピーカ
【図１】
2007264931.tif 000003
【図２】
2007264931.tif 000004
【図３】
2007264931.tif 000005
【図４】
2007264931.tif 000006
【図５】
2007264931.tif 000007
【図６】
2007264931.tif 000008